(57)【要約】【課題】本発明は家用の便利な昇降支持台を開示した。【解決手段】箱体を含み、前記箱体の中には前後に貫通し、且つ上方に開口した開口チャンバが設けられ、前記開口チャンバの中には支持台が左右に対称的に、且つ回転できるように設けられ、重さの大きい物品を前記支持台に置くことができ、前記支持台が昇降する時に物品を昇降連動させることができ、前記支持台の下端には支持装置が固定的に連結され、前記支持装置は前記支持台を支持でき、前記支持台が昇降する時に傾いて倒れることによって物品が落ちて壊れることを避け、前記開口チャンバの左右両側の内壁の中には昇降チャンバが対称的に、且つ連通するように設けられ、前記昇降チャンバの中には昇降台がスライドできるように設けられ、前記昇降台の中には対称中心に向いて開口したスライドブロックチャンバが設けられている。【選択図】図１
2020200183.tif 000002
【特許請求の範囲】
【請求項１】
正面視で、箱体を含み、
前記箱体の中には前後に貫通し、且つ上方に開口した開口チャンバが設けられ、前記開口チャンバの中には支持台が左右に対称的に、且つ回転できるように設けられ、重さの大きい物品を前記支持台に置くことができ、前記支持台が昇降する時に物品を昇降連動させることができ、前記支持台の下端には支持装置が固定的に連結され、前記支持装置は前記支持台を支持でき、
前記開口チャンバの左右両側の内壁の中には昇降チャンバが対称的に、且つ連通するように設けられ、前記昇降チャンバの中には昇降台がスライドできるように設けられ、前記昇降台の中には対称中心に向いて開口したスライドブロックチャンバが設けられ、前記スライドブロックチャンバの中にはスライドブロックがスライドできるように設けられ、前記支持装置は前記スライドブロックと前記昇降台とにヒンジによって連結され、前記開口チャンバの下側内壁の中には昇降装置が設けられ、前記昇降装置と左右両側の前記昇降台とがねじ山によって連結され、前記昇降装置は前記昇降台を駆動し昇降させることができ、
前記昇降装置の後側にはスライド装置が噛合できるように連結され、前記スライド装置と前記スライドブロックとが上引っ張り線によって連結され、前記昇降装置は前記スライド装置を駆動することができることを特徴とする家用の便利な昇降支持台。
【請求項２】
前記支持装置は前記支持台の下端に固定的に連結された下ヒンジロッドを含み、前記下ヒンジロッドの円周面には上ヒンジロッドがヒンジによって連結され、前記上ヒンジロッドのうち対称中心から離れた一端にはスライドブロックがヒンジによって連結され、前記下ヒンジロッドのうち対称中心から離れた一端には昇降台が固定的に連結されていることを特徴とする請求項１に記載の家用の便利な昇降支持台。
【請求項３】
前記昇降装置は前記昇降チャンバの中に回転できるように設けられた昇降軸を含み、前記昇降軸と前記昇降台とがねじ山によって連結され、左側の前記昇降チャンバの下側内壁の中には噛合チャンバが設けられ、左側の前記昇降軸の下端が前記噛合チャンバの中に伸びており、且つ左側の前記昇降軸の下端には第一傘歯車が固定的に連結され、前記第一傘歯車の右端には第二傘歯車が噛合できるように連結され、前記第二傘歯車の中にはモーター軸がスプラインによって連結され、前記噛合チャンバの右側内壁の中にはモーターが固定的に設けられ、前記モーター軸の右端が前記モーターに伝動できるように連結され、前記モーター軸の周面には第三傘歯車がスプラインによって連結され、前記第三傘歯車が前記第二傘歯車の右側に位置し、前記第三傘歯車と前記第二傘歯車との間には軸スリーブが固定的に連結され、前記軸スリーブが前記モーター軸に回転できるように連結され、前記第三傘歯車の後端は前記スライド装置に噛合するように連結されることができることを特徴とする請求項１に記載の家用の便利な昇降支持台。
【請求項４】
前記噛合チャンバの下側内壁の中には同期チャンバが連通するように設けられ、両側の前記昇降軸の下端が前記同期チャンバの中に伸びており、且つ左側の前記昇降軸の下端には同期輪が固定的に連結され、両側の前記同期輪の間には同期ベルトが連結されていることを特徴とする請求項３に記載の家用の便利な昇降支持台。
【請求項５】
前記噛合チャンバの下側内壁の中にはバネチャンバが連通するように設けられ、前記バネチャンバの中には電磁石がスライドできるように設けられ、前記電磁石の左端と前記バネチャンバの左側内壁との間にはバネが固定的に連結され、前記電磁石の右端には押板が固定的に連結されていることを特徴とする請求項３に記載の家用の便利な昇降支持台。
【請求項６】
前記回転装置は前記噛合チャンバの後側内壁の中に設けられた中間ベルトチャンバを含み、前記中間ベルトチャンバの左右両側内壁の中にはベルトチャンバが対称的に、且つ連通するように設けられ、前記ベルトチャンバの中には下プーリーが回転できるように設けられ、両側の前記下プーリーの間には中間ベルトが連結され、前記ベルトチャンバの前後内壁の間には下線軸が回転できるように設けられ、左側の前記下線軸の前端が前記噛合チャンバの中に伸びており、且つ左側の前記下線軸の前端には第四傘歯車が固定的に連結され、前記第四傘歯車の左端は前記第三傘歯車と噛合するように連結されることができることを特徴とする請求項１に記載の家用の便利な昇降支持台。
【請求項７】
前記下プーリーの上側には上プーリーが回転できるように設けられ、前記上プーリーと前記下プーリーとの間には後側ベルトが連結され、前記後側ベルトが前記中間ベルトの後側に位置し、前記上プーリーの中には上線軸が固定的に連結され、前記ベルトチャンバの前側内壁の中には上軸チャンバが連通するように設けられ、前記上線軸の前端が前記上軸チャンバの前側内壁に回転できるように連結されていることを特徴とする請求項６に記載の家用の便利な昇降支持台。
【請求項８】
前記上線軸の円周面には上引っ張り線が巻き付いており、前記上引っ張り線の下端が前記スライドブロックに固定的に連結され、前記下線軸の円周面には下引っ張り線が巻き付いており、前記下引っ張り線の上端が前記スライドブロックに固定的に連結されていることを特徴とする請求項６に記載の家用の便利な昇降支持台。
【請求項９】
左側の前記昇降チャンバの上側内壁の中にはプローブが固定的に設けられ、前記プローブと前記モーターとが通電できるように連結され、前記昇降台の上端が前記昇降軸の上限界位置に上昇する時、前記プローブが前記昇降台を感知し前記モーターの通電状態を解除することを特徴とする請求項１に記載の家用の便利な昇降支持台。
【発明の詳細な説明】
【技術分野】
【０００１】
本発明は家用物品取り分野を取り上げて、具体的には家用の便利な昇降支持台である。
【背景技術】
【０００２】
生活の中で、小型の物を支持し昇降させることが常にあり、しかし一般的な昇降支持設備は占めた面積が大きい一方、操作も複雑であり、家で使用することに不便であり、従って、家用の便利な昇降支持台を設計する必要があり、本発明は昇降装置によって昇降台を昇降させる同時に、支持装置の昇降を実現し、これによって支持台を止めたい場所に止めることができ、また、回転装置を調節することにより、支持台が求められた角度で支持でき、操作が簡単であり、また昇降支持台は回転し折り畳むことができ、空間を節約し、使用も便利である。
【先行技術文献】
【特許文献】
【０００３】
【特許文献１】中国特許出願公開第１０８３８１６７８号明細書
【発明の概要】
【発明が解決しようとする課題】
【０００４】
本発明の目的は家用の便利な昇降支持台を提供し、それは上記の現在の技術中の問題を解決できる。
【課題を解決するための手段】
【０００５】
上記の課題を解決するため、本発明は以下の技術プランを採用する：本発明の家用の便利な昇降支持台は、箱体を含み、前記箱体の中には前後に貫通し、且つ上方に開口した開口チャンバが設けられ、前記開口チャンバの中には支持台が左右に対称的に、且つ回転できるように設けられ、重さの大きい物品を前記支持台に置くことができ、前記支持台が昇降する時に物品を昇降連動させることができ、前記支持台の下端には支持装置が固定的に連結され、前記支持装置は前記支持台を支持でき、前記支持台が昇降する時に傾いて倒れることによって物品が落ちて壊れることを避け、前記開口チャンバの左右両側の内壁の中には昇降チャンバが対称的に、且つ連通するように設けられ、前記昇降チャンバの中には昇降台がスライドできるように設けられ、前記昇降台の中には対称中心に向いて開口したスライドブロックチャンバが設けられ、前記スライドブロックチャンバの中にはスライドブロックがスライドできるように設けられ、前記支持装置は前記スライドブロックと前記昇降台とにヒンジによって連結され、前記開口チャンバの下側内壁の中には昇降装置が設けられ、前記昇降装置と左右両側の前記昇降台とがねじ山によって連結され、前記昇降装置は前記昇降台を駆動し昇降させることができ、前記昇降装置の後側にはスライド装置が噛合できるように連結され、前記スライド装置と前記スライドブロックとが上引っ張り線によって連結され、前記昇降装置は前記スライド装置を駆動することができ、且つ前記上引っ張り線によって前記スライドブロックを前記スライドブロックチャンバの中でスライドさせることができ、これによって前記支持装置を駆動し、これによって前記支持装置に前記支持台を昇降連動させ、これによって物品の昇降を連動させる。
【０００６】
優選の技術プランとして、前記支持装置は前記支持台の下端に固定的に連結された下ヒンジロッドを含み、前記下ヒンジロッドの円周面には上ヒンジロッドがヒンジによって連結され、前記上ヒンジロッドのうち対称中心から離れた一端にはスライドブロックがヒンジによって連結され、前記下ヒンジロッドのうち対称中心から離れた一端には昇降台が固定的に連結され、
前記スライドブロックがスライドし前記上ヒンジロッドを回転連動させ、これによって前記下ヒンジロッドを回転連動させ、これによって前記支持台を回転連動させる。
【０００７】
優選の技術プランとして、前記昇降装置は前記昇降チャンバの中に回転できるように設けられた昇降軸を含み、前記昇降軸と前記昇降台とがねじ山によって連結され、左側の前記昇降チャンバの下側内壁の中には噛合チャンバが設けられ、左側の前記昇降軸の下端が前記噛合チャンバの中に伸びており、且つ左側の前記昇降軸の下端には第一傘歯車が固定的に連結され、前記第一傘歯車の右端には第二傘歯車が噛合できるように連結され、前記第二傘歯車の中にはモーター軸がスプラインによって連結され、前記噛合チャンバの右側内壁の中にはモーターが固定的に設けられ、前記モーター軸の右端が前記モーターに伝動できるように連結され、前記モーター軸の周面には第三傘歯車がスプラインによって連結され、前記第三傘歯車が前記第二傘歯車の右側に位置し、前記第三傘歯車と前記第二傘歯車との間には軸スリーブが固定的に連結され、前記軸スリーブが前記モーター軸に回転できるように連結され、前記第三傘歯車の後端は前記スライド装置に噛合するように連結されることができ、前記モーターを始動した後、前記モーター軸によって前記第三傘歯車と前記第二傘歯車とを回転連動させることができ、前記第三傘歯車は前記スライド装置を駆動することができ、前記第二傘歯車は前記第一傘歯車を回転連動させることができ、前記第一傘歯車は左側の前記昇降軸を回転連動させることができ、これによって左側の前記昇降台を昇降連動させることができる。
【０００８】
好ましくは、前記噛合チャンバの下側内壁の中には同期チャンバが連通するように設けられ、両側の前記昇降軸の下端が前記同期チャンバの中に伸びており、且つ左側の前記昇降軸の下端には同期輪が固定的に連結され、両側の前記同期輪の間には同期ベルトが連結されている。
【０００９】
好ましくは、前記噛合チャンバの下側内壁の中にはバネチャンバが連通するように設けられ、前記バネチャンバの中には電磁石がスライドできるように設けられ、前記電磁石の左端と前記バネチャンバの左側内壁との間にはバネが固定的に連結され、前記電磁石の右端には押板が固定的に連結され、
前記電磁石が通電された時、前記電磁石が前記バネチャンバの中でスライドし、前記バネを圧縮し、同時に前記押板をスライド連動させ、これによって前記第二傘歯車と前記第一傘歯車とを押し動かして噛合させる。
【００１０】
優選の技術プランとして、前記回転装置は前記噛合チャンバの後側内壁の中に設けられた中間ベルトチャンバを含み、前記中間ベルトチャンバの左右両側内壁の中にはベルトチャンバが対称的に、且つ連通するように設けられ、前記ベルトチャンバの中には下プーリーが回転できるように設けられ、両側の前記下プーリーの間には中間ベルトが連結され、前記ベルトチャンバの前後内壁の間には下線軸が回転できるように設けられ、左側の前記下線軸の前端が前記噛合チャンバの中に伸びており、且つ左側の前記下線軸の前端には第四傘歯車が固定的に連結され、前記第四傘歯車の左端は前記第三傘歯車と噛合するように連結されることができる。
【００１１】
好ましくは、前記下プーリーの上側には上プーリーが回転できるように設けられ、前記上プーリーと前記下プーリーとの間には後側ベルトが連結され、前記後側ベルトが前記中間ベルトの後側に位置し、前記上プーリーの中には上線軸が固定的に連結され、前記ベルトチャンバの前側内壁の中には上軸チャンバが連通するように設けられ、前記上線軸の前端が前記上軸チャンバの前側内壁に回転できるように連結されている。
【００１２】
好ましくは、前記上線軸の円周面には上引っ張り線が巻き付いており、前記上引っ張り線の下端が前記スライドブロックに固定的に連結され、前記下線軸の円周面には下引っ張り線が巻き付いており、前記下引っ張り線の上端が前記スライドブロックに固定的に連結されている。
【００１３】
好ましくは、左側の前記昇降チャンバの上側内壁の中にはプローブが固定的に設けられ、前記プローブと前記モーターとが通電できるように連結され、前記昇降台の上端が前記昇降軸の上限界位置に上昇する時、前記プローブが前記昇降台を感知し前記モーターの通電状態を解除する。
【発明の効果】
【００１４】
本発明は昇降装置を通じて昇降台を昇降させる同時に、支持装置の昇降を実現し、これによって支持台を止めたい場所に止めることができ、これによって支持台に置かれた物品を昇降させ、また支持装置を調節することによって昇降支持台は回転し折り畳むことができ、空間を節約し、使用も便利である。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の家用の便利な昇降支持台の全体構成略図
【図２】図２は図１のＡ―Ａ方向の構成略図
【図３】図３は図１のＢ―Ｂ方向の構成略図
【図４】図４は図１のＣの拡大略図
【図５】図５は図１のＤの拡大略図
【発明を実施するための形態】
【００１７】
本発明の家用の便利な昇降支持台は、主に家庭物品の昇降支持に適用され、以下に付図をあわせて本発明について説明する：
【００１８】
本発明の家用の便利な昇降支持台は、箱体１０を含み、前記箱体１０の中には前後に貫通し、且つ上方に開口した開口チャンバ４５が設けられ、前記開口チャンバ４５の中には支持台２２が左右に対称的に、且つ回転できるように設けられ、重さの大きい物品を前記支持台２２に置くことができ、前記支持台２２が昇降する時に物品を昇降連動させることができ、前記支持台２２の下端には支持装置１００が固定的に連結され、前記支持装置１００は前記支持台２２を支持でき、前記支持台２２が昇降する時に傾いて倒れることによって物品が落ちて壊れることを避け、前記開口チャンバ４５の左右両側の内壁の中には昇降チャンバ１９が対称的に、且つ連通するように設けられ、前記昇降チャンバ１９の中には昇降台１５がスライドできるように設けられ、前記昇降台１５の中には対称中心に向いて開口したスライドブロックチャンバ２３が設けられ、前記スライドブロックチャンバ２３の中にはスライドブロック１６がスライドできるように設けられ、前記支持装置１００は前記スライドブロック１６と前記昇降台１５とにヒンジによって連結され、前記開口チャンバ４５の下側内壁の中には昇降装置１０２が設けられ、前記昇降装置１０２と左右両側の前記昇降台１５とがねじ山によって連結され、前記昇降装置１０２は前記昇降台１５を駆動し昇降させることができ、前記昇降装置１０２の後側にはスライド装置１０１が噛合できるように連結され、前記スライド装置１０１と前記スライドブロック１６とが上引っ張り線１７によって連結され、前記昇降装置１０２は前記スライド装置１０１を駆動することができ、且つ前記上引っ張り線１７によって前記スライドブロック１６を前記スライドブロックチャンバ２３の中でスライドさせることができ、これによって前記支持装置１００を駆動し、これによって前記支持装置１００に前記支持台２２を昇降連動させ、これによって物品の昇降を連動させる。
【００１９】
以下に前記支持装置１００について詳しく説明し、前記支持装置１００は前記支持台２２の下端に固定的に連結された下ヒンジロッド２０を含み、前記下ヒンジロッド２０の円周面には上ヒンジロッド２１がヒンジによって連結され、前記上ヒンジロッド２１のうち対称中心から離れた一端にはスライドブロック１６がヒンジによって連結され、前記下ヒンジロッド２０のうち対称中心から離れた一端には昇降台１５が固定的に連結され、
前記スライドブロック１６がスライドし前記上ヒンジロッド２１を回転連動させ、これによって前記下ヒンジロッド２０を回転連動させ、これによって前記支持台２２を回転連動させる。
【００２０】
以下に前記昇降装置１０２について詳しく説明し、前記昇降装置１０２は前記昇降チャンバ１９の中に回転できるように設けられた昇降軸１８を含み、前記昇降軸１８と前記昇降台１５とがねじ山によって連結され、左側の前記昇降チャンバ１９の下側内壁の中には噛合チャンバ２８が設けられ、左側の前記昇降軸１８の下端が前記噛合チャンバ２８の中に伸びており、且つ左側の前記昇降軸１８の下端には第一傘歯車３８が固定的に連結され、前記第一傘歯車３８の右端には第二傘歯車３７が噛合できるように連結され、前記第二傘歯車３７の中にはモーター軸４０がスプラインによって連結され、前記噛合チャンバ２８の右側内壁の中にはモーター２９が固定的に設けられ、前記モーター軸４０の右端が前記モーター２９に伝動できるように連結され、前記モーター軸４０の周面には第三傘歯車３６がスプラインによって連結され、前記第三傘歯車３６が前記第二傘歯車３７の右側に位置し、前記第三傘歯車３６と前記第二傘歯車３７との間には軸スリーブ４４が固定的に連結され、前記軸スリーブ４４が前記モーター軸４０に回転できるように連結され、前記第三傘歯車３６の後端は前記スライド装置１０１に噛合するように連結されることができ、前記モーター２９を始動した後、前記モーター軸４０によって前記第三傘歯車３６と前記第二傘歯車３７とを回転連動させることができ、前記第三傘歯車３６は前記スライド装置１０１を駆動することができ、前記第二傘歯車３７は前記第一傘歯車３８を回転連動させることができ、前記第一傘歯車３８は左側の前記昇降軸１８を回転連動させることができ、これによって左側の前記昇降台１５を昇降連動させることができる。
【００２１】
有益に、前記噛合チャンバ２８の下側内壁の中には同期チャンバ４３が連通するように設けられ、両側の前記昇降軸１８の下端が前記同期チャンバ４３の中に伸びており、且つ左側の前記昇降軸１８の下端には同期輪４１が固定的に連結され、両側の前記同期輪４１の間には同期ベルト４２が連結されている。
【００２２】
有益に、前記噛合チャンバ２８の下側内壁の中にはバネチャンバ２６が連通するように設けられ、前記バネチャンバ２６の中には電磁石２５がスライドできるように設けられ、前記電磁石２５の左端と前記バネチャンバ２６の左側内壁との間にはバネ２４が固定的に連結され、前記電磁石２５の右端には押板２７が固定的に連結され、
前記電磁石２５が通電された時、前記電磁石２５が前記バネチャンバ２６の中でスライドし、前記バネ２４を圧縮し、同時に前記押板２７をスライド連動させ、これによって前記第二傘歯車３７と前記第一傘歯車３８とを押し動かして噛合させる。
【００２３】
以下に前記回転装置１０１について詳しく説明し、前記回転装置１０１は前記噛合チャンバ２８の後側内壁の中に設けられた中間ベルトチャンバ４７を含み、前記中間ベルトチャンバ４７の左右両側内壁の中にはベルトチャンバ３５が対称的に、且つ連通するように設けられ、前記ベルトチャンバ３５の中には下プーリー３３が回転できるように設けられ、両側の前記下プーリー３３の間には中間ベルト３０が連結され、前記ベルトチャンバ３５の前後内壁の間には下線軸３４が回転できるように設けられ、左側の前記下線軸３４の前端が前記噛合チャンバ２８の中に伸びており、且つ左側の前記下線軸３４の前端には第四傘歯車３１が固定的に連結され、前記第四傘歯車３１の左端は前記第三傘歯車３６と噛合するように連結されることができる。
【００２４】
有益に、前記下プーリー３３の上側には上プーリー１２が回転できるように設けられ、前記上プーリー１２と前記下プーリー３３との間には後側ベルト３２が連結され、前記後側ベルト３２が前記中間ベルト３０の後側に位置し、前記上プーリー１２の中には上線軸１３が固定的に連結され、前記ベルトチャンバ３５の前側内壁の中には上軸チャンバ１１が連通するように設けられ、前記上線軸１３の前端が前記上軸チャンバ１１の前側内壁に回転できるように連結されている。
【００２５】
有益に、前記上線軸１３の円周面には上引っ張り線１７が巻き付いており、前記上引っ張り線１７の下端が前記スライドブロック１６に固定的に連結され、前記下線軸３４の円周面には下引っ張り線６６が巻き付いており、前記下引っ張り線６６の上端が前記スライドブロック１６に固定的に連結されている。
【００２６】
有益に、左側の前記昇降チャンバ１９の上側内壁の中にはプローブ１４が固定的に設けられ、前記プローブ１４と前記モーター２９とが通電できるように連結され、前記昇降台１５の上端が前記昇降軸１８の上限界位置に上昇する時、前記プローブ１４が前記昇降台１５を感知し前記モーター２９の通電状態を解除する。
【００２７】
以下に図１〜５を参照し、本発明の家用の便利な昇降支持台の使用手順について詳しく説明する：
【００２８】
初期状態に、第三傘歯車３６と第四傘歯車３１とが噛合しており、昇降台１５の下端が昇降軸１８の下限界位置にあり、支持台２２が縦方向にある。
【００２９】
使用するとき：まず電磁石２５を通電させ、第二傘歯車３７と第一傘歯車３８とを噛合させ、この時モーター２９を始動し、モーター軸４０が回転し、これによって軸スリーブ４４を回転連動させ、これによって第二傘歯車３７を回転連動させ、これによって第一傘歯車３８を回転連動させ、これによって昇降軸１８を回転連動させ、同時に同期輪４１を回転連動させ、これによって同期ベルト４２によって右側の同期輪４１を回転連動させ、これによって左右両側の昇降軸１８が同時に回転し、これによって左右二つの昇降台１５を同時にスライド連動させ、これによって左右二つの支持台２２をスライド連動させる。
【００３０】
支持台２２に物品を支持させる時、電磁石２５の通電状態を解除し、電磁石２５がスライドし、これによってバネ２４が駆動されて伸び、同時に押板２７がスライドし、これによって第三傘歯車３６と第四傘歯車３１とを押し動かして噛合させ、これによって下線軸３４を回転連動させ、これによって上引っ張り線１７が駆動されて下線軸３４の円周面に巻き付き、これによってスライドブロック１６を引いて下へスライドさせ、これによって上ヒンジロッド２１を回転連動させ、これによって下ヒンジロッド２０を回転連動させ、これによって支持台２２を求められた角度に回転連動させる。
【００３１】
本発明の有益効果は：本発明は昇降装置を通じて昇降台を昇降させる同時に、支持装置の昇降を実現し、これによって支持台を止めたい場所に止めることができ、これによって支持台に置かれた物品を昇降させ、また支持装置を調節することによって昇降支持台は回転し折り畳むことができ、空間を節約し、使用も便利である。
【００３２】
以上の方式により、本分野の技術者は本発明の範囲内に作動モードによって各種な変形をさせることができる。
【図１】
2020200183.tif 000003
【図２】
2020200183.tif 000004
【図３】
2020200183.tif 000005
【図４】
2020200183.tif 000006
【図５】
2020200183.tif 000007
【手続補正書】
【提出日】令和2年1月3日(2020.1.3)
【手続補正１】
【補正対象書類名】特許請求の範囲
【補正対象項目名】全文
【補正方法】変更
【補正の内容】
【特許請求の範囲】
【請求項１】
正面視で、箱体を含み、
前記箱体の中には前記箱体を前後に貫通し、且つ上方に開口した開口チャンバが設けられ、前記開口チャンバの中には支持台が左右に対称的に、且つ回転できるように設けられ、重さの大きい物品を前記支持台に置くことができ、前記支持台が昇降する時に物品を昇降連動させることができ、前記支持台の下端には支持装置が固定的に連結され、前記支持装置は前記支持台を支持でき、
前記開口チャンバの左右両側には前記開口チャンバと連通した昇降チャンバが対称的に設けられ、前記昇降チャンバの中には昇降台がスライドできるように設けられ、前記昇降台の中には向き合っている開口を有するスライドブロックチャンバが設けられ、前記スライドブロックチャンバの中にはスライドブロックがスライドできるように設けられ、前記支持装置は前記スライドブロックと前記昇降台とにヒンジによって連結され、前記開口チャンバの下側内壁の中には昇降装置が設けられ、前記昇降装置と左右両側の前記昇降台とがねじ山によって連結され、前記昇降装置は前記昇降台を駆動し昇降させることができ、前記昇降装置の後側にはスライド装置が噛合できるように連結され、前記スライド装置と前記スライドブロックとが上引っ張り線によって連結され、前記昇降装置は前記スライド装置を駆動することができることを特徴とする家用の便利な昇降支持台。
【請求項２】
前記支持装置は前記支持台の下端に固定的に連結された下ヒンジロッドを含み、前記下ヒンジロッドの円周面には上ヒンジロッドがヒンジによって連結され、左右二つの前記上ヒンジロッドのうち互いに離れた一端にはスライドブロックがヒンジによって連結され、左右二つの前記下ヒンジロッドのうち互いに離れた一端には昇降台が固定的に連結されていることを特徴とする請求項１に記載の家用の便利な昇降支持台。
【請求項３】
前記昇降装置は前記昇降チャンバの中に回転できるように設けられた昇降軸を含み、前記昇降軸と前記昇降台とがねじ山によって連結され、左側の前記昇降チャンバの下側内壁の中には噛合チャンバが設けられ、左側の前記昇降軸の下端が前記噛合チャンバの中に伸びており、且つ左側の前記昇降軸の下端には第一傘歯車が固定的に連結され、前記第一傘歯車の右端には第二傘歯車が噛合できるように連結され、前記第二傘歯車の中にはモーター軸がスプラインによって連結され、前記噛合チャンバの右側内壁の中にはモーターが固定的に設けられ、前記モーター軸の右端が前記モーターに伝動できるように連結され、前記モーター軸の周面には第三傘歯車がスプラインによって連結され、前記第三傘歯車が前記第二傘歯車の右側に位置し、前記第三傘歯車と前記第二傘歯車との間には軸スリーブが固定的に連結され、前記軸スリーブが前記モーター軸に回転できるように連結され、前記第三傘歯車の後端は前記スライド装置に噛合するように連結されることができることを特徴とする請求項１に記載の家用の便利な昇降支持台。
【請求項４】
前記噛合チャンバの下側内壁の中には同期チャンバが連通するように設けられ、両側の前記昇降軸の下端が前記同期チャンバの中に伸びており、且つ両側の前記昇降軸の下端には同期輪が固定的に連結され、両側の前記同期輪の間には同期ベルトが連結されていることを特徴とする請求項３に記載の家用の便利な昇降支持台。
【請求項５】
前記噛合チャンバの下側にはバネチャンバが前記噛合チャンバと連通するように設けられ、前記バネチャンバの中には電磁石がスライドできるように設けられ、前記電磁石の左端と前記バネチャンバの左側内壁との間にはバネが固定的に連結され、前記電磁石の右端には押板が固定的に連結されていることを特徴とする請求項３に記載の家用の便利な昇降支持台。
【請求項６】
前記スライド装置は前記噛合チャンバの後側内壁の中に設けられた中間ベルトチャンバを含み、前記中間ベルトチャンバの左右両側内壁の中には前記中間ベルトチャンバと連通したベルトチャンバが対称的に設けられ、前記ベルトチャンバの中には下プーリーが回転できるように設けられ、両側の前記下プーリーの間には中間ベルトが連結され、前記ベルトチャンバの前後内壁の間には前記下プーリーと固定された下線軸が回転できるように設けられ、左側の前記下線軸の前端が前記噛合チャンバの中に伸びており、且つ左側の前記下線軸の前端には第四傘歯車が固定的に連結され、前記第四傘歯車の左端は前記第三傘歯車と噛合するように連結されることができることを特徴とする請求項３に記載の家用の便利な昇降支持台。
【請求項７】
前記下プーリーの上側には上プーリーが回転できるように設けられ、前記上プーリーと前記下プーリーとの間には後側ベルトが連結され、前記後側ベルトが前記中間ベルトの後側に位置し、前記上プーリーの中には上線軸が固定的に連結され、前記ベルトチャンバの前側内壁の中には前記ベルトチャンバと連通した上軸チャンバが設けられ、前記上線軸の前端が前記上軸チャンバの前側内壁に回転できるように連結されていることを特徴とする請求項６に記載の家用の便利な昇降支持台。
【請求項８】
前記上線軸の円周面には上引っ張り線が巻き付いており、前記上引っ張り線の下端が前記スライドブロックに固定的に連結され、前記下線軸の円周面には下引っ張り線が巻き付いており、前記下引っ張り線の上端が前記スライドブロックに固定的に連結されていることを特徴とする請求項７に記載の家用の便利な昇降支持台。
【請求項９】
左側の前記昇降チャンバの上側内壁の中にはプローブが固定的に設けられ、前記プローブと前記モーターとが通電できるように連結され、前記昇降台の上端が前記昇降軸の上限界位置に上昇する時、前記プローブが前記昇降台を感知し前記モーターの通電状態を解除することを特徴とする請求項３に記載の家用の便利な昇降支持台。
【手続補正２】
【補正対象書類名】明細書
【補正対象項目名】全文
【補正方法】変更
【補正の内容】
【発明の詳細な説明】
【技術分野】
【０００１】
本発明は家用物品取り分野を取り上げて、具体的には家用の便利な昇降支持台である。
【背景技術】
【０００２】
生活の中で、小型の物を支持し昇降させることが常にあり、しかし一般的な昇降支持設備は占めた面積が大きい一方、操作も複雑であり、家で使用することに不便であり、従って、家用の便利な昇降支持台を設計する必要があり、本発明は昇降装置によって昇降台を昇降させる同時に、支持装置の昇降を実現し、これによって支持台を止めたい場所に止めることができ、また、スライド装置を調節することにより、支持台が求められた角度で支持でき、操作が簡単であり、また昇降支持台は回転し折り畳むことができ、空間を節約し、使用も便利である。
【先行技術文献】
【特許文献】
【０００３】
【特許文献１】中国特許出願公開第１０８３８１６７８号明細書
【発明の概要】
【発明が解決しようとする課題】
【０００４】
本発明の目的は家用の便利な昇降支持台を提供し、それは上記の現在の技術中の問題を解決できる。
【課題を解決するための手段】
【０００５】
上記の課題を解決するため、本発明は以下の技術プランを採用する：本発明の家用の便利な昇降支持台は、箱体を含み、前記箱体の中には前記箱体を前後に貫通し、且つ上方に開口した開口チャンバが設けられ、前記開口チャンバの中には支持台が左右に対称的に、且つ回転できるように設けられ、重さの大きい物品を前記支持台に置くことができ、前記支持台が昇降する時に物品を昇降連動させることができ、前記支持台の下端には支持装置が固定的に連結され、前記支持装置は前記支持台を支持でき、前記支持台が昇降する時に傾いて倒れることによって物品が落ちて壊れることを避け、前記開口チャンバの左右両側には前記開口チャンバと連通した昇降チャンバが対称的に設けられ、前記昇降チャンバの中には昇降台がスライドできるように設けられ、前記昇降台の中には向き合っている開口を有するスライドブロックチャンバが設けられ、前記スライドブロックチャンバの中にはスライドブロックがスライドできるように設けられ、前記支持装置は前記スライドブロックと前記昇降台とにヒンジによって連結され、前記開口チャンバの下側内壁の中には昇降装置が設けられ、前記昇降装置と左右両側の前記昇降台とがねじ山によって連結され、前記昇降装置は前記昇降台を駆動し昇降させることができ、前記昇降装置の後側にはスライド装置が噛合できるように連結され、前記スライド装置と前記スライドブロックとが上引っ張り線によって連結され、前記昇降装置は前記スライド装置を駆動することができ、且つ前記上引っ張り線によって前記スライドブロックを前記スライドブロックチャンバの中でスライドさせることができ、これによって前記支持装置を駆動し、これによって前記支持装置に前記支持台を昇降連動させ、これによって物品の昇降を連動させる。
【０００６】
優選の技術プランとして、前記支持装置は前記支持台の下端に固定的に連結された下ヒンジロッドを含み、前記下ヒンジロッドの円周面には上ヒンジロッドがヒンジによって連結され、左右二つの前記上ヒンジロッドのうち互いに離れた一端にはスライドブロックがヒンジによって連結され、左右二つの前記下ヒンジロッドのうち互いに離れた一端には昇降台が固定的に連結され、
前記スライドブロックがスライドし前記上ヒンジロッドを回転連動させ、これによって前記下ヒンジロッドを回転連動させ、これによって前記支持台を回転連動させる。
【０００７】
優選の技術プランとして、前記昇降装置は前記昇降チャンバの中に回転できるように設けられた昇降軸を含み、前記昇降軸と前記昇降台とがねじ山によって連結され、左側の前記昇降チャンバの下側内壁の中には噛合チャンバが設けられ、左側の前記昇降軸の下端が前記噛合チャンバの中に伸びており、且つ左側の前記昇降軸の下端には第一傘歯車が固定的に連結され、前記第一傘歯車の右端には第二傘歯車が噛合できるように連結され、前記第二傘歯車の中にはモーター軸がスプラインによって連結され、前記噛合チャンバの右側内壁の中にはモーターが固定的に設けられ、前記モーター軸の右端が前記モーターに伝動できるように連結され、前記モーター軸の周面には第三傘歯車がスプラインによって連結され、前記第三傘歯車が前記第二傘歯車の右側に位置し、前記第三傘歯車と前記第二傘歯車との間には軸スリーブが固定的に連結され、前記軸スリーブが前記モーター軸に回転できるように連結され、前記第三傘歯車の後端は前記スライド装置に噛合するように連結されることができ、前記モーターを始動した後、前記モーター軸によって前記第三傘歯車と前記第二傘歯車とを回転連動させることができ、前記第三傘歯車は前記スライド装置を駆動することができ、前記第二傘歯車は前記第一傘歯車を回転連動させることができ、前記第一傘歯車は左側の前記昇降軸を回転連動させることができ、これによって左側の前記昇降台を昇降連動させることができる。
【０００８】
好ましくは、前記噛合チャンバの下側内壁の中には同期チャンバが連通するように設けられ、両側の前記昇降軸の下端が前記同期チャンバの中に伸びており、且つ両側の前記昇降軸の下端には同期輪が固定的に連結され、両側の前記同期輪の間には同期ベルトが連結されている。
【０００９】
好ましくは、前記噛合チャンバの下側にはバネチャンバが前記噛合チャンバと連通するように設けられ、前記バネチャンバの中には電磁石がスライドできるように設けられ、前記電磁石の左端と前記バネチャンバの左側内壁との間にはバネが固定的に連結され、前記電磁石の右端には押板が固定的に連結され、
前記電磁石が通電された時、前記電磁石が前記バネチャンバの中でスライドし、前記バネを圧縮し、同時に前記押板をスライド連動させ、これによって前記第二傘歯車と前記第一傘歯車とを押し動かして噛合させる。
【００１０】
優選の技術プランとして、前記スライド装置は前記噛合チャンバの後側内壁の中に設けられた中間ベルトチャンバを含み、前記中間ベルトチャンバの左右両側内壁の中には前記中間ベルトチャンバと連通したベルトチャンバが対称的に設けられ、前記ベルトチャンバの中には下プーリーが回転できるように設けられ、両側の前記下プーリーの間には中間ベルトが連結され、前記ベルトチャンバの前後内壁の間には前記下プーリーと固定された下線軸が回転できるように設けられ、左側の前記下線軸の前端が前記噛合チャンバの中に伸びており、且つ左側の前記下線軸の前端には第四傘歯車が固定的に連結され、前記第四傘歯車の左端は前記第三傘歯車と噛合するように連結されることができる。
【００１１】
好ましくは、前記下プーリーの上側には上プーリーが回転できるように設けられ、前記上プーリーと前記下プーリーとの間には後側ベルトが連結され、前記後側ベルトが前記中間ベルトの後側に位置し、前記上プーリーの中には上線軸が固定的に連結され、前記ベルトチャンバの前側内壁の中には前記ベルトチャンバと連通した上軸チャンバが設けられ、前記上線軸の前端が前記上軸チャンバの前側内壁に回転できるように連結されている。
【００１２】
好ましくは、前記上線軸の円周面には上引っ張り線が巻き付いており、前記上引っ張り線の下端が前記スライドブロックに固定的に連結され、前記下線軸の円周面には下引っ張り線が巻き付いており、前記下引っ張り線の上端が前記スライドブロックに固定的に連結されている。
【００１３】
好ましくは、左側の前記昇降チャンバの上側内壁の中にはプローブが固定的に設けられ、前記プローブと前記モーターとが通電できるように連結され、前記昇降台の上端が前記昇降軸の上限界位置に上昇する時、前記プローブが前記昇降台を感知し前記モーターの通電状態を解除する。
【発明の効果】
【００１４】
本発明は昇降装置を通じて昇降台を昇降させる同時に、支持装置の昇降を実現し、これによって支持台を止めたい場所に止めることができ、これによって支持台に置かれた物品を昇降させ、また支持装置を調節することによって昇降支持台は回転し折り畳むことができ、空間を節約し、使用も便利である。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の家用の便利な昇降支持台の全体構成略図
【図２】図２は図１のＡ―Ａ方向の構成略図
【図３】図３は図１のＢ―Ｂ方向の構成略図
【図４】図４は図１のＣの拡大略図
【図５】図５は図１のＤの拡大略図
【発明を実施するための形態】
【００１７】
本発明の家用の便利な昇降支持台は、主に家庭物品の昇降支持に適用され、以下に付図をあわせて本発明について説明する：
【００１８】
本発明の家用の便利な昇降支持台は、箱体１０を含み、前記箱体１０の中には前記箱体１０を前後に貫通し、且つ上方に開口した開口チャンバ４５が設けられ、前記開口チャンバ４５の中には支持台２２が左右に対称的に、且つ回転できるように設けられ、重さの大きい物品を前記支持台２２に置くことができ、前記支持台２２が昇降する時に物品を昇降連動させることができ、前記支持台２２の下端には支持装置１００が固定的に連結され、前記支持装置１００は前記支持台２２を支持でき、前記支持台２２が昇降する時に傾いて倒れることによって物品が落ちて壊れることを避け、前記開口チャンバ４５の左右両側には前記開口チャンバ４５と連通した昇降チャンバ１９が対称的に設けられ、前記昇降チャンバ１９の中には昇降台１５がスライドできるように設けられ、前記昇降台１５の中には向き合っている開口を有するスライドブロックチャンバ２３が設けられ、前記スライドブロックチャンバ２３の中にはスライドブロック１６がスライドできるように設けられ、前記支持装置１００は前記スライドブロック１６と前記昇降台１５とにヒンジによって連結され、前記開口チャンバ４５の下側内壁の中には昇降装置１０２が設けられ、前記昇降装置１０２と左右両側の前記昇降台１５とがねじ山によって連結され、前記昇降装置１０２は前記昇降台１５を駆動し昇降させることができ、前記昇降装置１０２の後側にはスライド装置１０１が噛合できるように連結され、前記スライド装置１０１と前記スライドブロック１６とが上引っ張り線１７によって連結され、前記昇降装置１０２は前記スライド装置１０１を駆動することができ、且つ前記上引っ張り線１７によって前記スライドブロック１６を前記スライドブロックチャンバ２３の中でスライドさせることができ、これによって前記支持装置１００を駆動し、これによって前記支持装置１００に前記支持台２２を昇降連動させ、これによって物品の昇降を連動させる。
【００１９】
以下に前記支持装置１００について詳しく説明し、前記支持装置１００は前記支持台２２の下端に固定的に連結された下ヒンジロッド２０を含み、前記下ヒンジロッド２０の円周面には上ヒンジロッド２１がヒンジによって連結され、左右二つの前記上ヒンジロッド２１のうち互いに離れた一端にはスライドブロック１６がヒンジによって連結され、左右二つの前記下ヒンジロッド２０のうち互いに離れた一端には昇降台１５が固定的に連結され、
前記スライドブロック１６がスライドし前記上ヒンジロッド２１を回転連動させ、これによって前記下ヒンジロッド２０を回転連動させ、これによって前記支持台２２を回転連動させる。
【００２０】
以下に前記昇降装置１０２について詳しく説明し、前記昇降装置１０２は前記昇降チャンバ１９の中に回転できるように設けられた昇降軸１８を含み、前記昇降軸１８と前記昇降台１５とがねじ山によって連結され、左側の前記昇降チャンバ１９の下側内壁の中には噛合チャンバ２８が設けられ、左側の前記昇降軸１８の下端が前記噛合チャンバ２８の中に伸びており、且つ左側の前記昇降軸１８の下端には第一傘歯車３８が固定的に連結され、前記第一傘歯車３８の右端には第二傘歯車３７が噛合できるように連結され、前記第二傘歯車３７の中にはモーター軸４０がスプラインによって連結され、前記噛合チャンバ２８の右側内壁の中にはモーター２９が固定的に設けられ、前記モーター軸４０の右端が前記モーター２９に伝動できるように連結され、前記モーター軸４０の周面には第三傘歯車３６がスプラインによって連結され、前記第三傘歯車３６が前記第二傘歯車３７の右側に位置し、前記第三傘歯車３６と前記第二傘歯車３７との間には軸スリーブ４４が固定的に連結され、前記軸スリーブ４４が前記モーター軸４０に回転できるように連結され、前記第三傘歯車３６の後端は前記スライド装置１０１に噛合するように連結されることができ、前記モーター２９を始動した後、前記モーター軸４０によって前記第三傘歯車３６と前記第二傘歯車３７とを回転連動させることができ、前記第三傘歯車３６は前記スライド装置１０１を駆動することができ、前記第二傘歯車３７は前記第一傘歯車３８を回転連動させることができ、前記第一傘歯車３８は左側の前記昇降軸１８を回転連動させることができ、これによって左側の前記昇降台１５を昇降連動させることができる。
【００２１】
有益に、前記噛合チャンバ２８の下側内壁の中には同期チャンバ４３が連通するように設けられ、両側の前記昇降軸１８の下端が前記同期チャンバ４３の中に伸びており、且つ両側の前記昇降軸１８の下端には同期輪４１が固定的に連結され、両側の前記同期輪４１の間には同期ベルト４２が連結されている。
【００２２】
有益に、前記噛合チャンバ２８の下側にはバネチャンバ２６が前記噛合チャンバ２８と連通するように設けられ、前記バネチャンバ２６の中には電磁石２５がスライドできるように設けられ、前記電磁石２５の左端と前記バネチャンバ２６の左側内壁との間にはバネ２４が固定的に連結され、前記電磁石２５の右端には押板２７が固定的に連結され、
前記電磁石２５が通電された時、前記電磁石２５が前記バネチャンバ２６の中でスライドし、前記バネ２４を圧縮し、同時に前記押板２７をスライド連動させ、これによって前記第二傘歯車３７と前記第一傘歯車３８とを押し動かして噛合させる。
【００２３】
以下に前記スライド装置１０１について詳しく説明し、前記スライド装置１０１は前記噛合チャンバ２８の後側内壁の中に設けられた中間ベルトチャンバ４７を含み、前記中間ベルトチャンバ４７の左右両側内壁の中には前記中間ベルトチャンバ４７と連通したベルトチャンバ３５が対称的に設けられ、前記ベルトチャンバ３５の中には下プーリー３３が回転できるように設けられ、両側の前記下プーリー３３の間には中間ベルト３０が連結され、前記ベルトチャンバ３５の前後内壁の間には前記下プーリー３３と固定された下線軸３４が回転できるように設けられ、左側の前記下線軸３４の前端が前記噛合チャンバ２８の中に伸びており、且つ左側の前記下線軸３４の前端には第四傘歯車３１が固定的に連結され、前記第四傘歯車３１の左端は前記第三傘歯車３６と噛合するように連結されることができる。
【００２４】
有益に、前記下プーリー３３の上側には上プーリー１２が回転できるように設けられ、前記上プーリー１２と前記下プーリー３３との間には後側ベルト３２が連結され、前記後側ベルト３２が前記中間ベルト３０の後側に位置し、前記上プーリー１２の中には上線軸１３が固定的に連結され、前記ベルトチャンバ３５の前側内壁の中には前記ベルトチャンバ３５と連通した上軸チャンバ１１が設けられ、前記上線軸１３の前端が前記上軸チャンバ１１の前側内壁に回転できるように連結されている。
【００２５】
有益に、前記上線軸１３の円周面には上引っ張り線１７が巻き付いており、前記上引っ張り線１７の下端が前記スライドブロック１６に固定的に連結され、前記下線軸３４の円周面には下引っ張り線６６が巻き付いており、前記下引っ張り線６６の上端が前記スライドブロック１６に固定的に連結されている。
【００２６】
有益に、左側の前記昇降チャンバ１９の上側内壁の中にはプローブ１４が固定的に設けられ、前記プローブ１４と前記モーター２９とが通電できるように連結され、前記昇降台１５の上端が前記昇降軸１８の上限界位置に上昇する時、前記プローブ１４が前記昇降台１５を感知し前記モーター２９の通電状態を解除する。
【００２７】
以下に図１〜５を参照し、本発明の家用の便利な昇降支持台の使用手順について詳しく説明する：
【００２８】
初期状態に、第三傘歯車３６と第四傘歯車３１とが噛合しており、昇降台１５の下端が昇降軸１８の下限界位置にあり、支持台２２が縦方向にある。
【００２９】
使用するとき：まず電磁石２５を通電させ、第二傘歯車３７と第一傘歯車３８とを噛合させ、この時モーター２９を始動し、モーター軸４０が回転し、これによって軸スリーブ４４を回転連動させ、これによって第二傘歯車３７を回転連動させ、これによって第一傘歯車３８を回転連動させ、これによって昇降軸１８を回転連動させ、同時に同期輪４１を回転連動させ、これによって同期ベルト４２によって右側の同期輪４１を回転連動させ、これによって左右両側の昇降軸１８が同時に回転し、これによって左右二つの昇降台１５を同時にスライド連動させ、これによって左右二つの支持台２２をスライド連動させる。
【００３０】
支持台２２に物品を支持させる時、電磁石２５の通電状態を解除し、電磁石２５がスライドし、これによってバネ２４が駆動されて伸び、同時に押板２７がスライドし、これによって第三傘歯車３６と第四傘歯車３１とを押し動かして噛合させ、これによって下線軸３４を回転連動させ、これによって上引っ張り線１７が駆動されて下線軸３４の円周面に巻き付き、これによってスライドブロック１６を引いて下へスライドさせ、これによって上ヒンジロッド２１を回転連動させ、これによって下ヒンジロッド２０を回転連動させ、これによって支持台２２を求められた角度に回転連動させる。
【００３１】
本発明の有益効果は：本発明は昇降装置を通じて昇降台を昇降させる同時に、支持装置の昇降を実現し、これによって支持台を止めたい場所に止めることができ、これによって支持台に置かれた物品を昇降させ、また支持装置を調節することによって昇降支持台は回転し折り畳むことができ、空間を節約し、使用も便利である。
【００３２】
以上の方式により、本分野の技術者は本発明の範囲内に作動モードによって各種な変形をさせることができる。